(57)【要約】【課題】セキュリティ面で安全に複数のドキュメント処理装置の設定をクローニングするシステムおよび方法を提供する。【解決手段】先ず、ドキュメント処理装置は、ドキュメント処理装置に実装されるべき設定に対応した設定データを受け取る。次いで、ドキュメント処理装置は、受け取った設定データにしたがってドキュメント処理動作を開始する。次いで、受け取った設定データを一意的な暗号鍵を使用して暗号化する。暗号鍵は、例えば、ドキュメント処理装置と関連するノードに一意的なものである。次いで、ドキュメント処理装置は、コンピュータ・ネットワークを介して、少なくとも１つの他のドキュメント処理装置に、暗号化された設定データの選択的な転送を開始する。受信側のドキュメント処理装置は、暗号化された設定データを解読し、解読した設定データにしたがって設定され、送信側のドキュメント処理装置の設定とのクローニングが、セキュリティ面で安全に完了する。【選択図】図６
2008181518.tif 000002
【特許請求の範囲】
【請求項１】
ネットワークを介して接続され、設定に関して互いに互換性がある複数のドキュメント処理装置の中の少なくとも１つのドキュメント処理装置に、その装置の設定を表す設定データを受け取る手段と、
この手段によって受け取った設定データにしたがって前記少なくとも１つのドキュメント処理装置の動作を開始する手段と、
前記受け取った設定データを暗号化する暗号化手段と、
前記ネットワークを介して、前記複数のドキュメント処理装置の中の少なくとも１つの他のドキュメント処理装置への暗号化された設定データの転送を選択的に開始する転送手段と
を有することを特徴とするドキュメント処理装置の設定をクローニングするシステム。
【請求項２】
前記暗号化された設定データの転送を選択的に開始する転送手段から転送された暗号化された設定データを受信する手段と、
この手段によって受信した暗号化された設定データを解読する暗号解読手段と、
この暗号解読手段によって解読された設定データにしたがって前記少なくとも１つの他のドキュメント処理装置を設定する手段と
を、さらに、有することを特徴とする請求項１に記載のドキュメント処理装置の設定をクローニングするシステム。
【請求項３】
前記暗号化手段は、ドキュメント処理装置に関連するノードに一意的な暗号鍵にしたがって、前記受け取った設定データを暗号化することを特徴とする請求項１に記載のドキュメント処理装置の設定をクローニングするシステム。
【請求項４】
前記暗号化手段は、前記ドキュメント処理装置に関連する一意的な暗号鍵にしたがって前記少なくとも１つの他のドキュメント処理装置のそれぞれについて、受け取った設定データを暗号化することを特徴とする請求項３に記載のドキュメント処理装置の設定をクローニングするシステム。
【請求項５】
前記転送手段は、前記ドキュメント処理装置それぞれに関連する前記一意的な暗号鍵にしたがって暗号化された設定データを、対応する前記他のドキュメント処理装置に転送することを特徴とする請求項４に記載のドキュメント処理装置の設定をクローニングするシステム。
【請求項６】
前記暗号化された設定データは、ＸＭＬの形式であることを特徴とする請求項２に記載のドキュメント処理装置の設定をクローニングするシステム。
【請求項７】
ネットワークを介して接続され、設定に関して互いに互換性がある複数のドキュメント処理装置の中の少なくとも１つのドキュメント処理装置に、その装置の設定を表す設定データを受け取るステップと、
受け取った設定データにしたがって前記少なくとも１つのドキュメント処理装置の動作を開始するステップと、
前記受け取った設定データを暗号化するステップと、
関連するネットワークを介して、前記複数のドキュメント処理装置の中の少なくとも１つの他のドキュメント処理装置への暗号化された設定データの転送を選択的に開始するステップと
を含むことを特徴とするドキュメント処理装置の設定をクローニングする方法。
【請求項８】
前記暗号化された設定データの転送を選択的に開始するステップによって転送された暗号化された設定データを受信するステップと、
受信した暗号化された設定データを解読するステップと、
解読された設定データにしたがって前記少なくとも１つの他のドキュメント処理装置を設定するステップと
を、さらに、含むことを特徴とする請求項７に記載のドキュメント処理装置の設定をクローニングする方法。
【請求項９】
前記暗号化するステップは、ドキュメント処理装置に関連するノードに一意的な暗号鍵にしたがって、前記受け取った設定データを暗号化するステップを含むことを特徴とする請求項７に記載のドキュメント処理装置の設定をクローニングする方法。
【請求項１０】
前記暗号化するステップは、前記ドキュメント処理装置に関連する一意的な暗号鍵にしたがって前記少なくとも１つの他のドキュメント処理装置のそれぞれについて、受け取った設定データを暗号化するステップを含むことを特徴とする請求項９に記載のドキュメント処理装置の設定をクローニングする方法。
【請求項１１】
前記転送するステップは、前記ドキュメント処理装置それぞれに関連する前記一意的な暗号鍵にしたがって暗号化された設定データを、対応する前記他のドキュメント処理装置に転送するステップを含むことを特徴とする請求項１０に記載のドキュメント処理装置の設定をクローニングする方法。
【請求項１２】
前記暗号化された設定データは、ＸＭＬの形式であることを特徴とする請求項８に記載のドキュメント処理装置の設定をクローニングする方法。
【発明の詳細な説明】
【技術分野】
【０００１】
本発明は、複数のドキュメント処理装置の設定をクローニングするシステムおよび方法に関し、特に、セキュリティ面で安全に複数のドキュメント処理装置の設定をクローニングするシステムおよび方法に関する。
【背景技術】
【０００２】
会社、大学、病院またはその他のタイプの大規模な機関は、通常、その従業員が利用可能な多機能周辺装置等の多数のドキュメント処理装置を備えている。それぞれのドキュメント処理装置は、利用者あるいは所有者のニーズに応じて設置し、設定しなければならない。しばしば、ネットワーク内に、多数の類似した装置が設置される。それぞれの装置は、定期的に更新または設定しなければならない。このようなドキュメント処理装置の機能または設定を維持または改善するために、修正済みの設定情報、更新、アップグレード、保守フィックス、またはアスペクトを組み込んで装置にインストールまたは設定するという頻繁な作業が必要である。例えば、会社等の機関に設置された複数のドキュメント処理装置を更新するための現時点における１つの選択肢は、システム管理者が、このような更新または再設定情報を１つのドキュメント処理装置にインストールし、このような変更の許容可能性の判定試験を実行する方法である。次いで、システム管理者は、この更新を、他のドキュメント処理装置にインストールしなければならない。他の選択肢は、試験のために１つのドキュメント処理装置に更新された設定データをインストールし、更新に不備が無い場合に、更新サーバによって更新された設定データを他のそれぞれのドキュメント処理装置に配布する方法である。
【０００３】
その他のドキュメント処理装置に伝播させるために特定の設定または構成を特定した際には、この情報を機械によって判読可能な形態でそれぞれの装置に伝達しなければならない。しかしながら、このような情報は、変更または改ざんに対して脆弱であり、これにより、潜在的なセキュリティの侵害や、情報の変更に伴うその他の望ましくない結果を招く可能性がある問題点があった。
【０００４】
したがって、セキュリティ面で安全に、複数のドキュメント処理装置の設定をクローニング（cloning）するシステムおよび方法が望まれている。すなわち、１つのドキュメント処理装置についての設定を、セキュリティ面で安全に、他のドキュメント処理装置に移植処理、すなわちクローニングするシステムおよび方法が望まれている。
【特許文献１】特開２００７−２６６９６４号公報
【発明の開示】
【発明が解決しようとする課題】
【０００５】
本発明は、上記の従来の問題点に鑑みてなされたもので、複数のドキュメント処理装置の設定をクローニングするシステムおよび方法を提供することを目的とする。また、本発明は、セキュリティ面で安全な設定データの伝達によって、ネットワークに接続された複数のドキュメント処理装置の設定を継続的に更新するシステムおよび方法を提供することを目的とする。さらに、本発明は、ドキュメント処理装置の設定データの改ざんまたは変更のリスクを低減しつつ、互換性を有する複数のドキュメント処理装置の設定を保守するために、ドキュメント処理装置の設定の更新をクローニングするシステムおよび方法を提供することを目的とする。
【課題を解決するための手段】
【０００６】
本発明によるドキュメント処理装置の設定をクローニングするシステムは、ネットワークを介して接続され、設定（configuration）に関して互いに互換性がある複数のドキュメント処理装置の中の少なくとも１つのドキュメント処理装置に、その装置の設定を表す設定データを受け取る手段と、受け取った設定データにしたがって前記少なくとも１つのドキュメント処理装置の動作を開始する手段と、受け取った設定データを暗号化する暗号化手段と、ネットワークを介して、複数のドキュメント処理装置の中の少なくとも１つの他のドキュメント処理装置への暗号化された設定データの転送を選択的に開始する転送手段とを有する。
【０００７】
ここで、本発明において「ドキュメント処理装置の設定」および「設定データ」という用語は、それぞれ、「ドキュメント処理装置の構成」および「構成データ」という用語と同義であるとして用いている。
【０００８】
一実施形態においては、本システムは、転送手段から転送された暗号化された設定データを受信する手段と、受信した暗号化された設定データを解読する暗号解読手段と、解読された設定データにしたがって少なくとも１つの他のドキュメント処理装置を設定する手段とを、さらに、有する。ここで、暗号化された設定データは、例えば、ＸＭＬの形式である。
【０００９】
他の実施形態においては、本システムの暗号化手段は、ドキュメント処理装置に関連するノードに一意的な暗号鍵にしたがって、受け取った設定データを暗号化する。
【００１０】
さらに他の実施形態においては、本システムの暗号化手段は、ドキュメント処理装置に関連する一意的な暗号鍵にしたがって前記少なくとも１つの他のドキュメント処理装置のそれぞれについて、受け取った設定データを暗号化する。
【００１１】
また、他の実施形態においては、本システムの転送手段は、ドキュメント処理装置それぞれに関連する一意的な暗号鍵にしたがって暗号化された設定データを、対応する他のドキュメント処理装置に対して転送する。
【００１２】
本発明によるドキュメント処理装置の設定をクローニングする方法は、ネットワークを介して接続され、設定に関して互いに互換性がある複数のドキュメント処理装置の中の少なくとも１つのドキュメント処理装置に、その装置の設定を表す設定データを受け取るステップと、受け取った設定データにしたがって少なくとも１つのドキュメント処理装置の動作を開始するステップと、受け取った設定データを暗号化するステップと、関連するネットワークを介して、複数のドキュメント処理装置の中の少なくとも１つの他のドキュメント処理装置への暗号化された設定データの転送を選択的に開始するステップとを含む。
【発明の効果】
【００１３】
本発明によれば、複数のドキュメント処理装置の設定をクローニングするシステムおよび方法が提供される。また、本発明によれば、セキュリティ面で安全な設定データの伝達によって、ネットワークに接続された複数のドキュメント処理装置の設定を継続的に更新するシステムおよび方法が提供される。さらに、本発明によれば、ドキュメント処理装置の設定データの改ざんまたは変更のリスクを低減しつつ、互換性を有する複数のドキュメント処理装置の設定を保守するために、ドキュメント処理装置の設定の更新をクローニングするシステムおよび方法が提供される。
【発明を実施するための最良の形態】
【００１４】
以下、適宜、図面を参照しながら本発明による実施形態の説明を行う。図１は本発明による実施形態が適用されるシステム全体の構成例を示す。図に示したシステム１００は、コンピュータ・ネットワーク１０２として表されている分散コンピューティング環境を利用して具体化することができる。コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはそれらの任意の組み合わせを含む本技術分野で知られている任意のコンピュータ・ネットワークである。本発明による一実施形態において、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムと同様に、物理レイヤおよびトランスポート・レイヤから構成される。尚、図１には、コンピュータ・ネットワーク１０２を示したが、本発明は、本技術分野において知られているように、後ほど述べるそれぞれのドキュメント処理装置が隣のドキュメント処理装置に対して、直接的にあるいは無線によって、直列的に、もしくは並列的に、またはこれらに類似した方法で接続されているシステムにおいても、同様に実施可能である。
【００１５】
システム１００は、さらに、例えば、電子メール、ファクシミリ等のメッセージ通信、画像走査、コピー、ドキュメント管理、印刷等の様々なドキュメント処理を実行するために適切な多機能周辺装置（Multi-Function Peripheral；以下、ＭＦＰということがある。）として図に表されている、第１のドキュメント処理装置１０４、第２のドキュメント処理装置１１０、第３のドキュメント処理装置１１６および第４のドキュメント処理装置１２２を含む。しかし、ＭＦＰはドキュメント処理装置の一形態であって、本発明におけるドキュメント処理装置がＭＦＰに限定されるものではない。ドキュメント処理装置における処理動作には、例えば、ファクシミリ通信、画像走査、コピー、印刷、電子メール、ドキュメント管理、ドキュメント保存等が含まれる。本発明による一実施形態においては、ドキュメント処理装置１０４、１１０、１１６および１２２は、外部装置またはネットワーク装置に対してリモート・ドキュメント処理サービスを提供するように適合されている。ドキュメント処理装置１０４、１１０、１１６および１２２は、ユーザ、ネットワークに接続された装置、他のドキュメント処理装置等とやり取りするように構成された、ハードウェア、ソフトウェアおよびこれらの任意の適切な組み合わせを含んでいる。図に示したシステム１００は４つのドキュメント処理装置を含んでいるが、４つという数量は例示を目的としたものにすぎず、本発明によるシステムは、さらに少ない数の、あるいはさらに多い数のドキュメント処理装置を同様に含むことが可能である。ドキュメント処理装置１０４、１１０、１１６および１２２の機能等については、図４および図５を参照しながら後に説明する。
【００１６】
また、本発明による一実施形態において、ドキュメント処理装置１０４、１１０、１１６および１２２のそれぞれは、例えば、IEEE 1394あるいはＵＳＢインターフェイスを有する各種ドライブ、多様なＩＣメモリカード等の、複数のポータブル記憶媒体を受け入れるためのインターフェイスを備える。本発明の実施形態においては、ドキュメント処理装置１０４、１１０、１１６、および１２２は、それぞれ、タッチ・スクリーン、ＬＣＤ、タッチ・パネル、英数字キーパッド等のユーザ・インターフェイス１０６、１１２、１１８および１２４をさらに備え、ユーザは、このようなユーザ・インターフェイスを介して対応するドキュメント処理装置１０４、１１０、１１６および１２２と直接的にやり取りすることができる。それぞれのユーザ・インターフェイス１０６、１１２、１１８および１２４は、ユーザに対して情報を伝達するとともに、ユーザから選択内容を受け取るために用いられる。ユーザ・インターフェイス１０６、１１２、１１８および１２４は、本技術分野において知られているように、データをユーザに対して提示するために適合された様々なコンポーネントを有している。本発明による一実施形態においては、ユーザ・インターフェイス１０６、１１２、１１８および１２４は、後ほど説明するように、１つまたは複数のグラフィック要素、テキスト・データ、画像等をユーザに対して表示し、ユーザから入力を受け取り、かつ、コントローラ１０８、１１４、１２０、および１２６等のコンポーネントに対してユーザからの入力を伝達するように適合されたディスプレイを備えている。ドキュメント処理装置１０４、１１０、１１６および１２２は、それぞれ、適切な通信リンク１３０、１３２、１３４および１３６を介して、コンピュータ・ネットワーク１０２に通信可能に接続されている。適切な通信リンクには、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続、または、本技術分野において知られている他の適切な有線または無線のデータ通信チャネルが含まれる。
【００１７】
本発明による実施形態において、それぞれのドキュメント処理装置１０４、１１０、１１６および１２２は、さらに、ドキュメント処理装置１０４、１１０、１１６および１２２による処理操作を容易にする適切なコントローラ１０８、１１４、１２０および１２６としてそれぞれ表されたコンポーネントを内蔵している。コントローラ１０８、１１４、１２０および１２６は、対応するドキュメント処理装置１０４、１１０、１１６および１２２の動作の制御、あるいは対応するユーザ・インターフェイス１０６、１１２、１１８および１２４を介した画像の表示の制御、または、電子画像データの操作の管理等の処理を容易にするように構成されたハードウェア、ソフトウェアあるいはこれらの適切な組み合わせによって実装される。以下の説明においては、コントローラ１０８、１１４、１２０および１２６という用語は、後述する動作を実行する、もしくは実行させる、もしくは制御する、またはその他の方法で管理するように機能するハードウェア、ソフトウェア、またはこれらの組み合わせを含むドキュメント処理装置１０４、１１０、１１６および１２２と関連する任意の多数のコンポーネントの意味で、使用する。なお、図および上記の説明において、コントローラをドキュメント処理装置に内蔵された形態としたが、コントローラは、対応するドキュメント処理装置に通信可能に接続された外部装置の形態であってもよい。コントローラ１０８、１１４、１２０および１２６との関連において説明を行う動作は、本技術分野において知られている任意の汎用コンピューティング・システムによって実行可能である。したがって、コントローラ１０８、１１４、１２０および１２６は、このような一般的なコンピューティング装置を表しており、以下の説明において使用する際にも、そのように意図されている。また、以下の説明においてはコントローラ１０８、１１４、１２０および１２６を使用しているが、これは実施形態の例にすぎず、その他の実施形態においても、本発明によるドキュメント処理装置の設定をクローニング（cloning）するシステムおよび方法を実施することができる。コントローラ１０８、１１４、１２０および１２６の構成等については、後ほど図２と図３を参照しながら説明を行う。
【００１８】
図には示していないが、それぞれのドキュメント処理装置１０４、１１０、１１６および１２２は、設定データ（configuration data）、ユーザ設定、パスワード、ドキュメント、アカウント情報等が保存されている適切な大容量記憶装置とデータ通信を行うことができる。このような大容量記憶装置（図示せず）をネットワーク１０２に接続することによって、ドキュメント処理装置１０４、１１０、１１６および１２２によって大容量記憶装置（図示せず）を共有することもできる。あるいは、別個の記憶装置をそれぞれのドキュメント処理装置１０４、１１０、１１６および１２２に通信可能に接続することも可能である。適切な大容量記憶装置は、例えば、ハードディスク・ドライブ、その他の磁気記憶装置、光学式記憶装置、フラッシュ・メモリまたはそれらの任意の組み合わせを含む本技術分野で知られている記憶装置である。本発明による一実施形態においては、それぞれのドキュメント処理装置１０４、１１０、１１６および１２２は、内蔵ハードディスク・ドライブ等の形態で、記憶装置を実装している。
【００１９】
システム１００は、通信リンク１３８を介して、コンピュータ・ネットワーク１０２とデータ通信状態にある管理装置１２８をさらに含む。図においては管理装置１２８をデスクトップ・コンピュータによって示しているが、これは例示を目的としたものに過ぎない。管理装置１２８は、例えば、コンピュータ・ワークステーション、ノート形コンピュータ、ＰＤＡ（Personal Digital Assistant）、ウェブ対応の携帯電話、スマートフォン、専用通信ネットワーク用の装置、またはその他のウェブ対応の電子装置を含む、本技術分野において知られている任意のパーソナル・コンピューティング装置を表している。通信リンク１３８は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または、本技術分野において知られている他の適切な有線または無線のデータ通信チャネルである。管理装置１２８は、設定データを、検索し、取得し、変更し、更新し、削除し、またはコンピュータ・ネットワーク１０２を介して、１つまたは複数のドキュメント処理装置１０４、１１０、１１６および１２２に転送する。本発明による一実施形態においては、管理装置１２８は、コンピュータ・ネットワーク１０２に接続されたドキュメント処理装置１０４、１１０、１１６または１２２の設定（configuration）に対応する設定データを含むＸＭＬドキュメントを生成するために使用される。このような実施形態においては、管理装置１２８は、コンピュータ・ネットワーク１０２を介したドキュメント処理装置１０４、１１０、１１６または１２２への設定データの転送、選択されたドキュメント処理装置１０４、１１０、１１６または１２２に転送するために取り外し可能な記憶媒体への設定データの転送等を行うことができる。
【００２０】
次に、図２および図３を参照しながら、本発明による実施形態におけるシステムの動作が実行されるコントローラのハードウェアおよび機能構成等を説明する。図２に本発明による実施形態においてシステム１００の動作が実行されるコンポーネント、すなわち、図１においてはコントローラ１０８、１１４、１２０および１２６として示したコントローラ２００のハードウェア・アーキテクチャの構成例を示す。コントローラ１０８、１１４、１２０および１２６は、本明細書に記載する動作を円滑に実行する能力を有する、本技術分野において知られている任意の一般的なコンピューティング装置を表している。コントローラ２００には、少なくとも一つのＣＰＵを含むプロセッサ２０２が含まれている。プロセッサ２０２は、互いに協調して動作する複数のＣＰＵから構成されることもある。また、コントローラ２００には、ＢＩＯＳ機能、システム機能、システム構成データおよびコントローラ２００の動作に使用するその他のルーチンもしくはデータ等の静的または固定的なデータ、あるいはインストラクションのために有効に使用される、不揮発性または読出し専用メモリ（ＲＯＭ）２０４が含まれている。
【００２１】
また、コントローラ２００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６が含まれている。ＲＡＭ２０６は、プロセッサ２０２によって処理されるアプリケーションおよびデータ処理に関係するデータ・インストラクションのための記憶領域を提供する。
【００２２】
ストレージ・インターフェイス２０８は、コントローラ２００に関連するデータの不揮発性保存、大容量保存または長期的な保存ためのメカニズムを提供する。ストレージ・インターフェイス２０８は、２１６として図示したディスク・ドライブ、あるいは光学式ドライブ、テープ・ドライブ等の適切な任意のアドレス指定可能、またはシリアル記憶装置等の大量記憶装置の他、当業者に知られている適切な任意の記憶媒体を使用する。
【００２３】
ネットワーク・インターフェイス・サブシステム２１０は、ネットワークからの入出力を適切にルーティングすることによって、コントローラ２００が他の装置と通信することを可能にする。ネットワーク・インターフェイス・サブシステム２１０は、装置２００に対する外部装置との一つまたは複数のコネクションのインターフェイスを適切にとる。図においては、例えば、Ethernet（登録商標）、トークン・リング等といった固定または有線ネットワークとのデータ通信のための少なくとも一つのネットワーク・インターフェイス・カード２１４、およびWiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはそれらの組合せから適切に構成される物理的ネットワーク２２０を介したデータ交換を行うために、相互接続されている。
【００２４】
プロセッサ２０２、読出し専用メモリ２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００２５】
また、ドキュメント・プロセッサ・インターフェイス２２２もバス２１２を介してデータ通信を行う。ドキュメント・プロセッサ・インターフェイス２２２は、様々なドキュメント処理動作を実行するために、ドキュメント処理ハードウェア２３２との接続を提供する。そのようなドキュメント処理動作には、コピー・ハードウェア２２４によって実行されるコピー、画像走査ハードウェア２２６によって実行される画像走査、印刷ハードウェア２２８によって実行される印刷、およびファクシミリ・ハードウェア２３０によって実行されるファクシミリ通信が含まれる。コントローラ２００は、これらのドキュメント処理動作のいずれかまたは全部を適切に動作させる。複数のドキュメント処理動作を実行可能なシステムは、前述したように、ＭＦＰと呼ばれる。システム１００の機能は、ドキュメント処理装置と関連するインテリジェント・サブシステムとして図２に示したコントローラ２００（図１においてはコントローラ１０８、１１４、１２０および１２６として示されている。）を含む、ドキュメント処理装置１０４、１１０、１１６および１２２において実行される。
【００２６】
次に図３を参照しながらシステムの動作が実行されるコントローラの機能ブロックと動作の概要を説明する。図３に、本発明による実施形態のシステム１００の動作が実行されるコントローラ３００の機能ブロックの構成例を示す。コントローラ３００の機能は、ドキュメント処理エンジン３０２を含む。図３は、ソフトウェアおよびオペレーティング・システム機能と関連して、図２に示したハードウェアの機能性を例示している。
【００２７】
一実施形態において、ドキュメント処理エンジン３０２は、印刷動作、コピー動作、ファクシミリ通信動作および画像走査動作を可能にする。これらの機能が一つの装置で実行できる装置は、産業界において一般に好まれているドキュメント処理周辺装置であるＭＦＰである。しかし、コントローラ３００が上記のドキュメント処理動作のすべてを可能にする必要は必ずしもない。コントローラは、上記のドキュメント処理動作のサブセットである、専用のドキュメント処理装置、あるいはより限定した目的のドキュメント処理装置においても有効に用いられる。
【００２８】
ドキュメント処理エンジン３０２はユーザ・インターフェイス・パネル３１０と適切にインターフェイスされており、ユーザまたは管理者は、このユーザ・インターフェイス・パネル３１０を介して、ドキュメント処理エンジン３０２によって制御される機能にアクセスすることができる。アクセスは、コントローラにローカルに配置されているインターフェイスを介して行われるか、または遠隔のシン・クライアント（thin client）もしくはシック・クライアント（thick client）によって遠隔から行われる。
【００２９】
ドキュメント処理エンジン３０２は、印刷機能部３０４、ファクシミリ通信機能部３０６および画像走査機能部３０８とデータ通信を行う。これらの機能部は、印刷、ファクシミリの送受信、およびドキュメント画像をコピーのために取得するか、またはドキュメント画像の電子バージョンを生成するための、ドキュメント画像走査の実際の処理操作を容易にする。
【００３０】
ジョブ・キュー（job queue）３１２は、印刷機能部３０４、ファクシミリ通信機能部３０６および画像走査機能部３０８とデータ通信を行う。ビットマップ、ページ記述言語（ＰＤＬ）またはベクター・フォーマット等の種々の画像形式は、画像走査機能部３０８からジョブ・キュー３１２を介して以降の処理のために中継される。
【００３１】
ジョブ・キュー３１２は、また、ネットワーク・サービス機能部３１４ともデータ通信を行う。一実施形態において、ジョブ制御、状態データまたは電子ドキュメント・データが、ジョブ・キュー３１２とネットワーク・サービス機能部３１４との間で交換される。このように、適切なインターフェイスが、クライアント側ネットワーク・サービス機能３２０（これは、任意の適切なシンまたはシック・クライアントである）を介したコントローラ３００へのネットワーク・ベースのアクセスのために設けられている。一実施形態において、ウェブ・サービス・アクセスは、ハイパーテキスト転送プロトコル（HTTP）、ファイル転送プロトコル（FTP）、ユニフォーム・データ・ダイアグラム・プロトコル（uniform data diagram protocol）または他の任意の適切な交換メカニズムによって実行される。ネットワーク・サービス機能部３１４は、また、ＦＴＰ、電子メール、テルネット（TELNET）等を介した通信のために、クライアント側ネットワーク・サービス機能３２０とのデータ交換も有効に提供する。このように、コントローラ機能３００は、種々のネットワーク・アクセス・メカニズムによって、電子ドキュメントおよびユーザ情報の出力あるいは受信を容易にする。
【００３２】
ジョブ・キュー３１２は、また、画像プロセッサ３１６ともデータ通信を行う。画像プロセッサ３１６は、印刷機能部３０４、ファクシミリ通信機能部３０６または画像走査機能部３０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００３３】
最後に、ジョブ・キュー３１２は、ジョブ解析部（job parser）３１８とデータ通信を行い、このジョブ解析部３１８はクライアント装置サービス部３２２等の外部装置からの印刷ジョブ言語（ＰＪＬ）ファイルを受け取る働きをする。クライアント装置サービス部３２２は、電子ドキュメントの印刷、ファクシミリ通信、またはコントローラ機能３００による処理が有効である他の適切な電子ドキュメントの入力を含む。ジョブ解析部３１８は、受け取った電子ドキュメント・ファイルを解析し、前述した機能およびコンポーネントと関連する処理のために、解析した電子ドキュメント・ファイル情報をジョブ・キュー３１２に中継する働きをする。
【００３４】
次に、図４および図５を参照しながら、本発明による実施形態におけるシステムの動作が実行されるドキュメント処理装置のハードウェアおよび機能構成等を説明する。図４に本発明による実施形態においてシステム１００の動作が実行されるドキュメント処理装置４００（図１においては装置１０４、１１０、１１６および１２２として表されている。）のハードウェア・アーキテクチャの構成例を示す。ドキュメント処理装置４００には、少なくとも一つのＣＰＵから構成されるプロセッサ４０２が含まれている。プロセッサ４０２は、互いに協調して動作する複数のＣＰＵから構成されることもある。また、ドキュメント処理装置４００には、ＢＩＯＳ機能、システム機能、システム構成データおよびドキュメント処理装置４００の動作に使用するその他のルーチンもしくはデータ等の静的または固定的なデータ、あるいはインストラクションのために有効に使用される、不揮発性または読出し専用メモリ（ＲＯＭ）４０４が含まれている。
【００３５】
また、ドキュメント処理装置４００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ４０６が含まれている。ＲＡＭ４０６は、プロセッサ４０２によって処理されるアプリケーションおよびデータ処理に関係するデータ・インストラクションのための記憶領域を提供する。
【００３６】
ストレージ・インターフェイス４０８は、ドキュメント処理装置４００に関連するデータの不揮発性保存、大容量保存または長期的な保存ためのメカニズムを提供する。ストレージ・インターフェイス４０８は、４１６として図示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００３７】
ネットワーク・インターフェイス・サブシステム４１０は、ネットワークからの入出力を適切にルーティングすることによって、ドキュメント処理装置４００が他の装置と通信することを可能にする。ネットワーク・インターフェイス・サブシステム４１０は、ドキュメント処理装置４００の外部装置との一つまたは複数のコネクションのインターフェイスを適切にとる。図においては、一例として、Ethernet（登録商標）、トークン・リング等といった固定または有線ネットワークとのデータ通信のための少なくとも一つのネットワーク・インターフェイス・カード４１４、およびWiFi、WiMax、無線モデム、セルラ・ネットワークまたは適切な任意の無線通信システム等の手段を介した無線通信のために適切な無線インターフェイス４１８を示している。ネットワーク・インターフェイス・サブシステム４１０は、任意の物理的データ転送レイヤあるいは物理的データ転送レイヤではないデータ転送レイヤまたはプロトコル・レイヤを適切に利用する。図においては、ネットワーク・インターフェイス・カード４１４は、例えば、ローカル・エリア・ネットワーク、ワイド・エリア・ネットワークまたはそれらの組合せから適切に構成される物理的ネットワーク４２０を介したデータ交換を行うために、相互接続されている。
【００３８】
プロセッサ４０２、読出し専用メモリ４０４、ＲＡＭ４０６、ストレージ・インターフェイス４０８およびネットワーク・インターフェイス・サブシステム４１０の間のデータ通信は、バス４１２によって例示したバス・データ転送メカニズムを介して行われる。
【００３９】
ドキュメント処理装置４００における実行可能なインストラクションは、ワークステーション、他のドキュメント処理装置、その他のサーバ等の複数の外部装置との通信を円滑に実行する。動作の際、代表的な装置は自立的に動作するが、しばしば、ローカル・ユーザによる直接的な制御が望ましい場合もある。ローカル・ユーザによる直接的な制御は、ユーザ入出力（Ｉ／Ｏ）パネル４２４へのオプションの入出力（Ｉ／Ｏ）インターフェイス４２２を介して実行することができる。
【００４０】
また、１つまたは複数のドキュメント処理エンジンへのインターフェイスも、バス４１２を介してデータ通信を行う。図に示した実施形態においては、印刷インターフェイス４２６、コピー・インターフェイス４２８、画像走査インターフェイス４３０およびファクシミリ・インターフェイス４３２は、それぞれ、印刷エンジン４３４、コピー・エンジン４３６、画像走査エンジン（スキャナ）４３８、およびファクシミリ・エンジン４４０との通信を容易にする。ドキュメント処理装置４００は、１つまたは複数のドキュメント処理機能を適切に実行する。複数のドキュメント処理操作を実行するシステムは、前述したように一般に、多機能周辺装置（ＭＦＰ）等と呼ばれる。
【００４１】
次に図５を参照しながらシステムの動作が実行されるドキュメント処理装置の機能ブロックを説明する。図５に、本発明による実施形態のシステム１００の動作が実行されるドキュメント処理装置５００の機能ブロックの構成例を示す。図５は、ソフトウェアおよびオペレーティング・システム機能と関連して、図４に示したハードウェアの機能性を例示している。ドキュメント処理装置５００は、１つまたは複数のドキュメント処理操作を円滑に実行するドキュメント処理エンジン５０２を含んでいる。
【００４２】
ドキュメント処理エンジン５０２は、印刷エンジン５０４、ファクシミリ・エンジン５０６、画像走査エンジン（スキャナ）５０８およびコンソール・パネル５１０を含む。印刷エンジン５０４は、ドキュメント処理装置５００に伝達された電子ドキュメントを、物理的なドキュメント、すなわちハードコピーの出力を可能とする。ファクシミリ・エンジン５０６は、ファクシミリ・モデム等の装置を介して、外部のファクシミリ装置との間で相互にファクシミリ通信を行う。
【００４３】
画像走査エンジン５０８は、ハードコピー・ドキュメントを受け取り、このハードコピー・ドキュメントに対応する画像データに変換するように機能する。コンソール・パネル５１０等のユーザ・インターフェイスは、ユーザからのインストラクションの入力と、ユーザへの情報の表示を可能にする。画像走査エンジン５０８は、目に見える有形のドキュメントを、ビットマップ・フォーマット、ベクター・フォーマットまたはページ記述言語（ＰＤＬ）フォーマットの電子的な形態への入力と関連して使用され、さらに、光学文字認識のためにも構成されている。また、実際の目に見える有形のドキュメントの画像走査は、ファクシミリ動作においても有効に機能する。
【００４４】
図に示したドキュメント処理エンジン５０２は、ドライバ５２６を介したネットワークとのインターフェイス５１６も備え、例えばネットワーク・インターフェイス・カードから構成されている。ネットワークは、有線、無線あるいは光によるデータ通信のような任意の適切な物理的レイヤおよび物理的でないレイヤによって、十分なやり取りを実現している。
【００４５】
ドキュメント処理エンジン５０２は、１つまたは複数のデバイス・ドライバ５１４と適切な通信を行う。デバイス・ドライバ５１４は、実際のドキュメント処理動作を実行するために、ドキュメント処理エンジン５０２から１つまたは複数の物理的装置へのデータ交換を可能とする。このようなドキュメント処理動作には、ドライバ５１８による印刷、ドライバ５２０によるファクシミリ通信、ドライバ５２２による画像走査、およびドライバ５２４によるユーザ・インターフェイス機能の中の１つまたは複数のものが含まれる。これらの多様な装置は、ドキュメント処理エンジン５０２と関連する１つまたは複数の対応したエンジンと結合されている。本発明においては、ドキュメント処理操作の任意のセットまたはサブセットが想定されている。複数の利用可能なドキュメント処理選択肢を含むドキュメント処理装置はＭＦＰと呼ばれている。
【００４６】
以下、本発明における動作の概要を説明する。先ず、ドキュメント処理装置に実装される設定（configuration）に対応する設定データが、そのドキュメント処理装置によって受け取られる。次いで、ドキュメント処理装置は、受け取った設定データにしたがってドキュメント処理動作を開始する。次いで、受け取った設定データが暗号化される。次いで、ドキュメント処理装置は、コンピュータ・ネットワークを介して、少なくとも１つの他のドキュメント処理装置への暗号化された設定データの転送を選択的に開始する。
【００４７】
本発明による例示的な一実施形態においては、ドキュメント処理装置、例えば、第１のドキュメント処理装置１０４は、コンピュータ・ネットワーク１０２を介するか、もしくは第１のドキュメント処理装置１０４におけるポータブル記憶媒体を介して直接的に、またはこれらに類似した方法によって、新たな、もしくは変更された、または更新された設定を表す設定データを管理装置１２８から受け取る。ここで、第１のドキュメント処理装置１０４は例として挙げたものにすぎず、本発明はドキュメント処理装置１０４、１１０、１１６または１２２のいずれを用いても具体化可能である。次いで、第１のドキュメント処理装置１０４は、受信した設定データにしたがってドキュメント処理動作を開始する。設定データには、例えば、ソフトウェア、ハードウェア設定、デバイス・ドライバ、対象とするデータ、ネットワークの設定情報、ユーザ・アカウント情報、ユーザ・インターフェイスの設定、電子ドキュメント等を含めることができる。本発明による一実施形態においては、設定データはＸＭＬクローン・ファイルの形式である。
【００４８】
次いで、第１のドキュメント処理装置１０４は、コントローラ１０８またはその他のその適切なコンポーネントを介して、コンピュータ・ネットワーク１０２に接続されているドキュメント処理装置１１０、１１６または１２２に対応するノードを設定データから取得する。次いで、取得したノードが暗号化を必要としているか否かが、第１のドキュメント処理装置１０４によって、判断される。ノードに暗号化が必要である場合、例えば、ノードがユーザのパスワード、アドレス帳の内容等の機密情報を含むＸＭＬドキュメントである場合には、そのノードに関連する一意的なデータを特定する。一実施形態によれば、このような一意的なデータは、例えば、ＸＭＬファイル内にあるノードに関連するノードのＸＰＡＴＨを含んでいる。次いで、暗号化対象のノードに関連する一意的なデータを用いて、一意的な暗号鍵を生成する。したがって、一実施形態においては、ノードのＸＰＡＴＨを用いて一意的な暗号鍵を生成する。本発明において、ノードに関連する一意的なデータを用いて暗号鍵を生成する任意の適切な方法を使用することができる。次いで、ノード値が、生成された一意的な暗号鍵を用いて、暗号化される。
【００４９】
次に、第１のドキュメント処理装置１０４によって、ドキュメント処理装置１１０、１１６または１２２に対応するさらなるノードが残っているか否かが判断される。さらなるノードが残っている場合には、ドキュメント処理装置１１０、１１６および１２２に対応するすべてのノードへのアクセスと分析が完了するまで、前述した処理が繰り返される。さらなるノードが残っていないと判断されると、設定データはドキュメント処理装置１０４によって保存される。すなわち、設定データは更新される。次いで、設定データは、コンピュータ・ネットワーク１０２を介して、対応するドキュメント処理装置１１０、１１６および１２２に転送される。
【００５０】
本発明による実施形態は、マスタ／クローン動作モードまたはピア・ツー・ピア動作モードを設定することができる。ここで、マスタ／クローン動作モードにおいては、例えば、第１のドキュメント処理装置１０４がマスタ・ノードとして機能し、互換性を有するその他のドキュメント処理装置１１０、１１６および１２２のそれぞれはクローンとして機能する。すなわち、第１のドキュメント処理装置１０４に対して実行されたすべての変更は、クローン・ドキュメント処理装置１１０、１１６および１２２によって複製される。また、ピア・ツー・ピア動作モードにおいては、ドキュメント処理装置１０４、１１０、１１６または１２２のいずれか１つに対して実行された変更が、変更が行われていない他のドキュメント処理装置１０４、１１０、１１６または１２２のそれぞれの装置において無差別的に複製される。マスタ・ノードとして第１のドキュメント処理装置１０４の場合について述べたが、これは例示目的にすぎず、その他のドキュメント処理装置１１０、１１６および１２２のいずれもが、同様に、マスタ／クローン動作モードにおけるマスタ・ノードとして、あるいはピア・ツー・ピア動作モードにおけるオリジネーティング・ノードとして動作することができる。
【００５１】
転送動作は、プッシュ・タイプ動作、またはプル・タイプ動作とすることが可能である。プッシュ・タイプの転送動作においては、第１のドキュメント処理装置１０４が、コンピュータ・ネットワークを介して、他のドキュメント処理装置１１０、１１６および１２２のそれぞれに、設定データを転送する。プル・タイプの転送動作においては、第１のドキュメント処理装置１０４以外の、他のドキュメント処理装置１１０、１１６および１２２が、コンピュータ・ネットワーク１０２を介して、第１のドキュメント処理装置１０４に対して設定データの転送を要求する。当業者であれば、このようなプッシュは、単一のドキュメント処理装置またはコンピュータ・ネットワーク１０２に通信可能に接続されている任意の数の関連するドキュメント処理装置に対して実行可能であるであることを理解するであろう。
【００５２】
本発明による例示的な一実施形態においては、例えば、第２のドキュメント処理装置１１０等のドキュメント処理装置は、コンピュータ・ネットワーク１０２を介して、第１のドキュメント処理装置１０４から新たな、もしくは変更された、または更新された設定を表す暗号化された設定データを受信する。なお、暗号化された設定データを受信するドキュメント処理装置を第２のドキュメント処理装置１１０としているが、これは例示目的にすぎず、受信ドキュメント処理装置は、マスタ／クローン動作モードにおいてはマスタ・ノードではないネットワーク１０２上のすべての装置、ピア・ツー・ピア動作モードにおいてはオリジネーティング・ノードではないネットワーク１０２上のすべての装置である。暗号化された設定データを受信すると、第２のドキュメント処理装置１１０は、適切な暗号解読キー、すなわち、第２のドキュメント処理装置１１０に対応する特定のノードと関連した暗号解読キーを用いて、受信した暗号化された設定データを解読する。その後、第２のドキュメント処理装置１１０は解読した設定データにしたがって設定され、解読した設定データにしたがったドキュメント処理動作を開始する。以上述べた動作によって、コンピュータ・ネットワーク１０２上において、互換性を有するそれぞれのドキュメント処理装置１０４、１１０、１１６および１２２の設定データの安全なクローニング（cloning）が円滑に実行される。
【００５３】
次に図６ないし図８を参照しながら、本発明による実施形態において、ドキュメント処理装置の設定をクローニングするシステムの動作を説明する。図６に、本発明による実施形態において、ドキュメント処理装置の設定をクローニングするシステムの基本的な動作例を表すフローチャートを示す。先ず、Ｓ６０２で、第１のドキュメント処理装置１０４が、コンピュータ・ネットワーク１０２を介して、ドキュメント処理装置１０４の設定に対応した設定データを受け取る。次いでＳ６０４において、第１のドキュメント処理装置１０４は、受け取った設定データにしたがってドキュメント処理動作を開始する。次いで、Ｓ６０６において、第１のドキュメント処理装置１０４は、受け取った設定データを暗号化する。次いで、Ｓ６０８において、第１のドキュメント処理装置１０４は、少なくとも１つの他のドキュメント処理装置１１０、１１６または１２２に対して、暗号化された設定データの転送を選択的に開始する。
【００５４】
次に図７を参照しながら、本発明による実施形態におけるドキュメント処理装置の設定をクローニングするシステムの動作を暗号化の観点から説明する。図７に、本発明による実施形態におけるドキュメント処理装置の設定をクローニングするシステムの動作例を暗号化の観点から表したフローチャートを示す。ここで、説明を具体的なものにするため、例として、第３のドキュメント処理装置１１６が設定データを受信する場合を想定している。本発明による実施形態においては、ドキュメント処理装置１０４、１１０または１２２のいずれもが、同様に、設定データを受信する最初のドキュメント処理装置として機能することができる。例えば、設定データは、管理装置１２８等から受信されており、ドキュメント処理装置の設定、ネットワークの設定、ユーザ情報、機密データ、アカウント情報、ソフトウェア設定、ハードウェア設定、ユーザ・インターフェイス等を表すデータに対応している。先ず、Ｓ７０２で、１つのドキュメント処理装置、例えば、第３のドキュメント処理装置１１６が、ドキュメント処理装置１１６の設定に対応する設定データを、コンピュータ・ネットワーク１０２を介して、受信する。
【００５５】
次いでＳ７０４において、第３のドキュメント処理装置１１６は、受信した設定データにしたがってドキュメント処理動作を開始する。本発明による一実施形態においては、ＸＭＬフォーマットの設定データが、ドキュメント処理装置１１６によって受け取られる。Ｓ７０６において、コントローラ１２０または第３のドキュメント処理装置１１６のその他の適切なコンポーネントは、コンピュータ・ネットワーク１０２と通信可能に接続されているドキュメント処理装置１０４、１１０または１２２に関連するノードを取得する。次いでＳ７０８において、ノードに対応する設定データの暗号化が必要であるか否かが判断される。暗号化が不要である場合には、処理はＳ７０８からＳ７１６に進み、ドキュメント処理装置１０４、１１０または１２２に対応するさらなるノードが、第３のドキュメント処理装置１１６による分析のために、残っているか否かを判断する。さらなるノードが残っていることが設定データを表すＸＭＬドキュメントに示されている場合には、処理はＳ７０８に戻り、第３のドキュメント処理装置１１６は、この残っている次のノードに暗号化か必要であるか否かを判断する。
【００５６】
暗号化が必要であると判断された場合には処理はＳ７１０に進み、暗号化対象であるノードに関連する一意的なデータを特定する。例えば、本発明による一実施形態においては、ノードに関連した一意的なデータはノードのＸＰＡＴＨ等である。次いでＳ７１２において、第３のドキュメント処理装置１１６は、ノードに関連した、例えば、ＸＰＡＴＨ等の一意的なデータにしたがって、一意的な暗号鍵を生成する。次にＳ７１４において、ノード値は一意的な暗号鍵を用いて暗号化され、その結果、暗号化された設定データが得られる。続いてＳ７１６において、ドキュメント処理装置１０４、１１０または１２２に対応するさらなるノードが、第３のドキュメント処理装置１１６による分析のために、残っているか否かを判断する。Ｓ７１６において、さらなるノードが残っていないと判断された場合には、処理はＳ７１８に進み、暗号化された設定データは保存される。すなわち、指定されたドキュメント処理装置に転送するために、暗号化されたＸＭＬファイルを準備する。次いでＳ７２０において、暗号化された設定データを、指定されたドキュメント処理装置１０４、１１０および／または１２２に転送する。本発明による実施形態においては、ノードを一意的に特定するために、ノードの複数の属性を必要とする場合もある。すなわち、１つのＸＰＡＴＨは１つのノードについて一意的であるが、所定のノードは、そのノードに対応する複数のＸＰＡＴＨを具備することができることから、このような実施形態においては、ノード値の暗号化および解読の際の混乱を回避するために、ＸＰＡＴＨにおける複数の属性を順序付けするための規則を設定する。すなわち、本発明による一実施形態における暗号化は、ノードを一意的に特定するとともに、標準的な規則によって構成された、ＸＰＡＴＨによって決まる暗号鍵を用いて実行される。
【００５７】
続いて図８を参照しながら、本発明による実施形態におけるドキュメント処理装置の設定をクローニングするシステムの動作を暗号解読の観点から説明する。図８に、本発明による実施形態におけるドキュメント処理装置の設定をクローニングするシステムの動作例を暗号解読の観点から表したフローチャートを示す。以下の説明においては、第３のドキュメント処理装置１１６を送信側のドキュメント処理装置として、かつ、第４のドキュメント処理装置１２２を受信側のドキュメント処理装置として想定している。この想定は、例示を目的としたものにすぎず、ドキュメント処理装置１０４、１１０、１１６および／または１２２のいずれもが、送信側および受信側のいずれかの役割を果たすことができる。先ず、Ｓ８０２で、第４のドキュメント処理装置１２２は、コンピュータ・ネットワーク１０２を介して、第３のドキュメント処理装置１１６から暗号化された設定データを受信する。暗号化された設定データは、受信側のドキュメント処理装置１２２によって実装されるべき設定を表すデータを含んでいる。次にＳ８０４において、第４のドキュメント処理装置１２２は、受信した暗号化された設定データ、例えば、ＸＭＬ形式のファイルを解読する。次いでＳ８０６において、第４のドキュメント処理装置１２２は、解読した設定データにしたがって、設定される。
【００５８】
以上の動作によって、送信側のドキュメント処理装置の設定と、受信側のドキュメント処理装置の設定とが、セキュリティ面で安全に、クローニングする。
【００５９】
本発明は、ソース・コード、オブジェクト・コード、部分的にコンパイルされた形のようなコード中間ソースおよびオブジェクト・コードの形、あるいは本発明の実施形態で使用するために適した任意の他の形のコンピュータ・プログラムに適用される。コンピュータ・プログラムは、スタンドアローンのアプリケーション、ソフトウェア・コンポーネント、スクリプトまたは他のアプリケーションへのプラグ・インとすることができる。本発明を実施するコンピュータ・プログラムは、例えば、ＲＯＭやＲＡＭ等の記憶媒体、ＣＤ−ＲＯＭ等の光記録媒体、フロッピー（登録商標）ディスク等の磁気記録媒体等の、コンピュータ・プログラムを伝達することができる任意の実体または装置である担体上で具体化することができる。この担体は、電気ケーブルまたは光ケーブルによって、または無線や他の手段によって伝えられる電気信号や光信号等の任意の伝達可能な担体である。コンピュータ・プログラムは、サーバからインターネットを介してダウンロードすることもできる。また、コンピュータ・プログラムの機能は集積回路に組み込むこともできる。説明を行った本発明の原理を実質的にコンピュータまたはプロセッサに実行させるコードを含む任意およびすべての実施形態は、本発明の技術的な範囲内にある。
【００６０】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。例えば、本発明による実施形態の説明に記したシステムおよび方法は、例えば、通信、汎用コンピューティング、データ処理等を含む複数の様々な分野に対しても適用可能であり、本発明がドキュメント処理への適用に限定されるものではない。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる発明の技術的な範囲内にある。
【図面の簡単な説明】
【００６１】
【図１】本発明による実施形態が適用されるシステム全体の構成例である。
【図２】本発明による実施形態のシステムの動作が実行されるコントローラのハードウェアの構成例である。
【図３】本発明による実施形態のシステムの動作が実行されるコントローラの機能ブロックの構成例である。
【図４】本発明による実施形態のシステムの動作が実行されるドキュメント処理装置のハードウェアの構成例である。
【図５】本発明による実施形態のシステムの動作が実行されるドキュメント処理装置の機能ブロックの構成例である。
【図６】本発明による実施形態において、ドキュメント処理装置の設定をクローニングするシステムの基本的な動作例を表すフローチャートである。
【図７】本発明による実施形態において、ドキュメント処理装置の設定をクローニングするシステムの動作例を暗号化の観点から表したフローチャートである。
【図８】本発明による実施形態において、ドキュメント処理装置の設定をクローニングするシステムの動作例を暗号解読の観点から表したフローチャートである。
【符号の説明】
【００６２】
１００  システム
１０２  コンピュータ・ネットワーク、分散コンピューティング環境
１０４、１１０、１１６、１２２  ドキュメント処理装置、ＭＦＰ
１０６、１１２、１１８、１２４  ユーザ・インターフェイス
１０８、１１４、１２０、１２６  コントローラ
１２８  管理装置
１３０、１３２、１３４、１３６、１３８  通信リンク
２００、３００  コントローラ
２０２、４０２  プロセッサ
２０４、４０４  読出し専用メモリ、ＲＯＭ
２０６、４０６  ＲＡＭ
２０８、４０８  ストレージ・インターフェイス
２１０、４１０  ネットワーク・インターフェイス・サブシステム
２１２、４１２  バス
２１４、４１４、５１６  ネットワーク・インターフェイス・カード
２１６、４１６  ディスク・ドライブ
２１８、４１８  無線インターフェイス
２２０、４２０  物理的ネットワーク
２２２  ドキュメント・プロセッサ・インターフェイス
２２４  コピー・ハードウェア
２２６  画像走査ハードウェア
２２８  印刷ハードウェア
２３０  ファクシミリ・ハードウェア
２３２  ドキュメント処理ハードウェア
３０２、５０２  ドキュメント処理エンジン
３０４  印刷機能部
３０６  ファクシミリ通信機能部
３０８  画像走査機能部
３１０  ユーザ・インターフェイス・パネル
３１２  ジョブ・キュー
３１４  ネットワーク・サービス機能部
３１６  画像プロセッサ
３１８  ジョブ解析部
３２０  クライアント側ネットワーク・サービス機能
３２２  クライアント装置サービス部
４００、５００  ドキュメント処理装置
４２２  オプションの入出力インターフェイス
４２４  ユーザ入出力パネル
４２６  印刷インターフェイス
４２８  コピー・インターフェイス
４３０  画像走査インターフェイス
４３２  ファクシミリ・インターフェイス
４３４、５０４  印刷エンジン
４３６  コピー・エンジン
４３８、５０８  画像走査エンジン
４４０、５０６  ファクシミリ・エンジン
５１０  コンソール・パネル
５１４  デバイス・ドライバ
５１８、５２０、５２２、５２４、５２６  ドライバ
【図１】
2008181518.tif 000003
【図２】
2008181518.tif 000004
【図３】
2008181518.tif 000005
【図４】
2008181518.tif 000006
【図５】
2008181518.tif 000007
【図６】
2008181518.tif 000008
【図７】
2008181518.tif 000009
【図８】
2008181518.tif 000010